(57)【要約】【課題】端子の保持を安定化することができ、接続部の剛性を保持することができるコネクタを提供する。【解決手段】端子収容室３を有するハウジング５と、電線７の端末部に接続され端子収容室３に収容される端子９と、端子収容室３に撓み可能に設けられた係止ランス１１とを備えたコネクタ１において、端子９に、係止ランス１１に係止される箱状の接続部１３を設け、係止ランス１１に、係止突部１５を突設し、係止突部１５に、係止面１７と、係止突部１５の先端から係止ランス１１の基端側に向けて係止面１７の範囲内で係止突部１５の肉厚を増大させるように傾斜された傾斜面１９とを設け、接続部１３の対向壁２１に、対向壁２１を係止突部１５側に向けて打ち出して係止面１７に係合可能な係止突起２３と、対向壁２１を接続部１３の内部側に向けて打ち出して係止突部１５を収容可能な壁面凹部２５とを設けた。【選択図】図１
2018185888.tif 000002
【特許請求の範囲】
【請求項１】
端子収容室が設けられたハウジングと、
前記ハウジングから外部に引き出される電線の端末部に接続され前記端子収容室に収容される端子と、
前記端子収容室に撓み可能に設けられた係止ランスと、
前記端子に設けられ前記係止ランスに前記電線の引出方向に係止される箱状の接続部と、
前記係止ランスの自由端側に設けられ前記接続部側に向けて突設された係止突部と、
前記係止突部の前記係止ランスの自由端側の面に設けられた係止面と、
前記係止突部の前記係止ランスの基端側の面に設けられ前記係止突部の先端から前記係止ランスの基端側に向けて前記係止面の範囲内で前記係止突部の肉厚を増大させるように傾斜された傾斜面と、
前記接続部の前記係止突部と対向する対向壁に設けられ前記対向壁を前記係止突部側に向けて打ち出して前記係止面に係合可能な係止突起と、
前記対向壁に設けられ前記対向壁を前記接続部の内部側に向けて打ち出して前記係止突部を収容可能な壁面凹部と、
を有することを特徴とするコネクタ。
【請求項２】
請求項１記載のコネクタであって、
前記対向壁の前記接続部の内面側に配置され自由端側に接点部を有し前記接続部の内部に弾性変形可能に設けられた弾性片と、
前記壁面凹部の打ち出された端部に設けられ前記弾性片の自由端側と基端側との間に当接する支点部と、
を有することを特徴とするコネクタ。
【発明の詳細な説明】
【技術分野】
【０００１】
本発明は、コネクタに関する。詳細には、端子収容室に収容される端子を係止する係止ランスを有するコネクタに関する。
【背景技術】
【０００２】
従来、コネクタとしては、端子収容室としてのキャビティが設けられたハウジングと、ハウジングから外部に引き出される電線の端末部に接続されキャビティに収容される端子と、キャビティに撓み可能に設けられた係止ランスと、端子に設けられ係止ランスに電線の引出方向に係止される箱状の接続部とを備えたものが知られている（例えば、特許文献１参照）。
【０００３】
このコネクタでは、端子の箱状の接続部に、係止ランスの自由端側が挿入可能なように、係止ランスと対向する対向壁と、この対向壁の両側に位置する両側壁とが開口してランス受け部が設けられている。
【０００４】
このようなコネクタでは、係止ランスの復元により、係止ランスの自由端側が接続部のランス受け部内に挿入されることによって、キャビティからの端子の抜け止めがなされる。
【先行技術文献】
【特許文献】
【０００５】
【特許文献１】特開２０１３−２１８９０２号公報
【発明の概要】
【発明が解決しようとする課題】
【０００６】
ところで、上記特許文献１のようなコネクタでは、ランス受け部内の係止ランスの自由端と対向する端部が、係止ランスの自由端に当接することによって、端子収容室からの端子の抜け止めを行っている。
【０００７】
しかしながら、このようなランス受け部の端部と係止ランスの自由端との当接では、電線に引張力が加わったときに、ランス受け部の端部が係止ランスの自由端側の薄肉部分に当接してしまう。
【０００８】
このようなランス受け部の係止ランスの自由端側の薄肉部分の当接では、電線の引っ張りによる端子の剪断力に対する耐力が低く、係止ランスの自由端側に変形などが生じて端子の保持が不安定にある恐れがあった。
【０００９】
一方、上記特許文献１のようなコネクタでは、ランス受け部が、箱状の接続部の係止ランスと対向する対向壁と、両側壁とを開口することによって設けられているが、この開口により接続部の剛性が低下している。
【００１０】
加えて、ランス受け部の底壁は、側壁を対向壁側に向けて折り曲げて形成された部分であり、底壁と側壁との連結部が１面となっているので、剛性が低く、係止ランスの自由端側との当接によって、変形などが生じる恐れがあった。
【００１１】
そこで、この発明は、端子の保持を安定化することができ、接続部の剛性を保持することができるコネクタの提供を目的としている。
【課題を解決するための手段】
【００１２】
請求項１記載の発明は、端子収容室が設けられたハウジングと、前記ハウジングから外部に引き出される電線の端末部に接続され前記端子収容室に収容される端子と、前記端子収容室に撓み可能に設けられた係止ランスと、前記端子に設けられ前記係止ランスに前記電線の引出方向に係止される箱状の接続部と、前記係止ランスの自由端側に設けられ前記接続部側に向けて突設された係止突部と、前記係止突部の前記係止ランスの自由端側の面に設けられた係止面と、前記係止突部の前記係止ランスの基端側の面に設けられ前記係止突部の先端から前記係止ランスの基端側に向けて前記係止面の範囲内で前記係止突部の肉厚を増大させるように傾斜された傾斜面と、前記接続部の前記係止突部と対向する対向壁に設けられ前記対向壁を前記係止突部側に向けて打ち出して前記係止面に係合可能な係止突起と、前記対向壁に設けられ前記対向壁を前記接続部の内部側に向けて打ち出して前記係止突部を収容可能な壁面凹部とを有することを特徴とするコネクタである。
【００１３】
このコネクタでは、係止突部の係止ランスの基端側の面に、係止突部の先端から係止ランスの基端側に向けて係止面の範囲内で係止突部の肉厚を増大させるように傾斜された傾斜面が設けられているので、電線の引出方向の係止突部の肉厚が係止面の範囲内で先端から基部側に向けて増大されている。
【００１４】
この係止突部に対して、接続部の係止突部と対向する対向壁には、対向壁を係止突部側に向けて打ち出して係止面に係合可能に係止突起が設けられているので、電線に引張力が加わったときに、係止突起が、係止面において、係止突部の肉厚が増大した部分に当接される。
【００１５】
このため、電線の引っ張りによる端子の剪断力に対する耐力を高めることができ、係止突部の変形などを防止して、端子の保持を安定化することができる。
【００１６】
また、接続部の対向壁には、対向壁を接続部の内部側に向けて打ち出して係止突部を収容可能に壁面凹部が設けられているので、壁面凹部に係止突部を収容することで、係止突起を、係止面において、より係止突部の肉厚が増大した部分に当接させることができ、端子の保持をさらに安定化することができる。
【００１７】
さらに、壁面凹部は、対向壁を接続部の内部側に向けて打ち出して設けられているので、接続部の対向壁や両側壁とが開口することがなく、接続部の剛性を保持することができる。
【００１８】
加えて、壁面凹部は、対向壁を接続部の内部側に向けて打ち出して設けられているので、係止突起側の面を除く、壁面凹部の底壁の３面が対向壁に連結されており、さらに接続部の剛性を保持することができる。
【００１９】
従って、このようなコネクタでは、端子の保持を安定化することができ、接続部の剛性を保持することができる。
【００２０】
請求項２記載の発明は、請求項１記載のコネクタであって、前記対向壁の前記接続部の内面側に配置され自由端側に接点部を有し前記接続部の内部に弾性変形可能に設けられた弾性片と、前記壁面凹部の打ち出された端部に設けられ前記弾性片の自由端側と基端側との間に当接する支点部とを有することを特徴とする。
【００２１】
このコネクタでは、壁面凹部の打ち出された端部に、弾性片の自由端側と基端側との間に当接する支点部が設けられているので、接点部と支点部との距離を短くすることができ、弾性片による接点部の接触圧力を高めることができる。
【発明の効果】
【００２２】
本発明によれば、端子の保持を安定化することができ、接続部の剛性を保持することができるコネクタを提供することができるという効果を奏する。
【図面の簡単な説明】
【００２３】
【図１】本発明の実施の形態に係るコネクタの断面図である。
【図２】本発明の実施の形態に係るコネクタの要部拡大断面図である。
【図３】本発明の実施の形態に係るコネクタのハウジングの断面図である。
【図４】本発明の実施の形態に係るコネクタの端子の斜視図である。
【図５】本発明の実施の形態に係るコネクタの端子の斜視図である。
【図６】本発明の実施の形態に係るコネクタの端子の側面図である。
【発明を実施するための形態】
【００２４】
図１〜図６を用いて本発明の実施の形態に係るコネクタについて説明する。
【００２５】
本実施の形態に係るコネクタ１は、端子収容室３が設けられたハウジング５と、このハウジング５から外部に引き出される電線７の端末部に接続され端子収容室３に収容される端子９と、端子収容室３に撓み可能に設けられた係止ランス１１とを備えている。
【００２６】
また、端子９には、係止ランス１１に電線７の引出方向に係止される箱状の接続部１３が設けられ、係止ランス１１の自由端側には、接続部１３側に向けて係止突部１５が突設されている。
【００２７】
さらに、係止突部１５の係止ランス１１の自由端側の面には、係止面１７が設けられ、係止突部１５の係止ランス１１の基端側の面には、係止突部１５の先端から係止ランス１１の基端側に向けて係止面１７の範囲内で係止突部１５の肉厚を増大させるように傾斜された傾斜面１９が設けられている。
【００２８】
そして、接続部１３の係止突部１５と対向する対向壁２１には、対向壁２１を係止突部１５側に向けて打ち出して係止面１７に係合可能な係止突起２３が設けられると共に、対向壁２１を接続部１３の内部側に向けて打ち出して係止突部１５を収容可能な壁面凹部２５とが設けられている。
【００２９】
また、対向壁２１の接続部１３の内面側には、自由端側に接点部２７を有し接続部１３の内部に弾性変形可能に設けられた弾性片２９が配置され、壁面凹部２５の打ち出された端部には、弾性片２９の自由端側と基端側との間に当接する支点部３１が設けられている。
【００３０】
図１〜図６に示すように、ハウジング５は、合成樹脂などの絶縁性材料からなり、相手ハウジング（不図示）と嵌合可能となっている。
【００３１】
このハウジング５には、相手ハウジングとの嵌合状態を保持するロック部（不図示）が設けられたロックアーム３３が撓み可能に設けられ、ロック部が相手ハウジングに設けられた被ロック部（不図示）と係合することにより、相手ハウジングとハウジング５との嵌合状態が保持される。
【００３２】
なお、ロックアーム３３の自由端側には、操作部３５が設けられ、操作部３５を押圧することにより、ロックアーム３３が撓まされ、ロック部と被ロック部との係合を解除し、相手ハウジングとハウジング５との嵌合状態を解除することができる。
【００３３】
このようなハウジング５には、複数の端子収容室３が設けられ、相手ハウジングと嵌合することにより、相手ハウジングに収容された複数の相手端子（不図示）と複数の端子収容室３に収容された複数の端子９とが電気的に接続される。
【００３４】
端子収容室３は、長さ方向の一端側が端子９を内部に挿入させる挿入開口３７となっており、長さ方向の他端側が内部に収容された端子９に接続される相手端子の雄型のタブ状の接続部（不図示）が挿入される接続開口３９となっている。
【００３５】
この複数の端子収容室３には、長さ方向の一端側の挿入開口３７からそれぞれ複数の端子９が収容される。
【００３６】
端子９は、導電性材料からなる１枚の板材に対して、打ち抜き加工や折り曲げ加工などを施すことによって、電線接続部４１と、接続部１３とが連続する一部材で形成されている。
【００３７】
電線接続部４１は、被覆圧着部４３と、芯線圧着部４５とを備えている。
【００３８】
被覆圧着部４３は、一対の加締め片からなり、電源や機器などに接続された電線７の端末部において、電線７の被覆部を加締める。
【００３９】
この被覆圧着部４３を電線７の被覆部に加締めることにより、端子９が電線７に固定される。
【００４０】
芯線圧着部４５は、接続部１３と被覆圧着部４３との間に設けられた一対の圧着片からなり、電線７の端末部において、電線７の被覆部から露出された芯線部を加締めて圧着される。
【００４１】
この芯線圧着部４５を電線７の芯線部に圧着させることにより、端子９が電線７に電気的に接続される。
【００４２】
接続部１３は、底壁が電線接続部４１と連続する一部材で形成され、両側壁と上壁である対向壁２１とを折り曲げ加工によって箱状に形成された雌型の接続部１３からなる。
【００４３】
この接続部１３の内部には、基端側が一方の側壁から対向壁２１側に向けて折り曲げられて対向壁２１の接続部１３の内部側に配置され、自由端側に接点部２７を有する弾性片２９が、所定の付勢力を有するように弾性変形可能に設けられている。
【００４４】
このような接続部１３には、長さ方向の一端側に開口が設けられ、この開口から内部に相手端子のタブ状の接続部が挿入され、弾性片２９の付勢力によって接点部２７がタブ状の接続部と接触することにより、端子９と相手端子とが電気的に接続される。
【００４５】
このような箱状の接続部１３を有する端子９は、電線７の端末部に電線接続部４１を介して接続された状態で、端子収容室３の挿入開口３７から端子収容室３内に挿入され、挿入開口３７から電線７がハウジング５の外部に引き出される。
【００４６】
このように端子収容室３に収容された端子９は、端子収容室３内に設けられた係止ランス１１に係止されることにより、端子収容室３の挿入開口３７からの抜け止めがなされる。
【００４７】
なお、端子９の端子収容室３への挿入は、端子９の接続部１３の端面が端子収容室３の接続開口３９が設けられた壁部と当接することにより、端子収容室３への端子９のそれ以上の挿入が規制される。
【００４８】
係止ランス１１は、基端側が端子収容室３の上下方向の一方の壁部と連続する一部材で形成され、自由端側が端子収容室３の内部に向けて傾斜しタブ状の接続部が挿入される接続開口３９側に配置され、端子収容室３内の上下方向に撓み可能に設けられている。
【００４９】
この係止ランス１１の自由端側には、端子９に設けられた壁面凹部２５に収容され、係止突起２３に係合される係止突部１５が係止ランス１１と連続する一部材で端子収容室３の内部に向けて突設されている。
【００５０】
係止突部１５は、係止ランス１１の自由端側で端子収容室３の壁部側から端子収容室３の内部側に向けて突設され、係止面１７と、傾斜面１９とを有している。
【００５１】
係止面１７は、係止突部１５の係止ランス１１の自由端側の面（ここでは、図１の左側の面）に設けられている。
【００５２】
この係止面１７は、係止突部１５の突出方向の先端から係止突部１５の基部側（端子収容室３の内壁面側）に向けて僅かに電線７の引出方向に傾斜されている。
【００５３】
なお、係止面１７の基部側には、接続開口３９側に向けて係止ランス１１と連続する一部材で解除壁４７が延設され、この解除壁４７に解除治具（不図示）を当接させ、係止ランス１１を撓ませることにより、端子９を端子収容室３の挿入開口３７から引き出すことができる。
【００５４】
傾斜面１９は、係止突部１５の係止ランス１１の基端側の面（ここでは、図１の右側の面）に設けられている。
【００５５】
この傾斜面１９は、係止突部１５の係止面１７が設けられた突出方向の範囲内で、係止突部１５の先端から係止ランス１１の基端側に向けて、係止突部１５の電線７の引出方向の肉厚を増大させるように傾斜されている。
【００５６】
このように係止面１７の範囲内で傾斜面１９を傾斜させることにより、係止面１７の係止突部１５の基部側に位置する部分の方が、係止面１７の係止突部１５の先端側に位置する部分より、係止突部１５の電線７の引出方向の肉厚を厚くする、すなわち強度を高めることができる。
【００５７】
このような係止面１７と傾斜面１９とを有する係止突部１５は、端子９の接続部１３に設けられた壁面凹部２５に収容され、係止面１７が係止突起２３と係合可能に配置される。
【００５８】
端子９の箱状の接続部１３の係止突部１５と対向する対向壁２１には、係止突起２３と、壁面凹部２５とが設けられている。
【００５９】
係止突起２３は、接続部１３の対向壁２１において、係止突部１５の係止面１７側に位置する部分の幅方向の中央部を、係止突部１５側、ずなわち接続部１３の外側に向けて打ち出すことによって設けられている。
【００６０】
この係止突起２３は、端子９が端子収容室３の正規位置に配置された状態で、係止突部１５の係止面１７と電線７の引出方向に係合可能に対向して配置される。
【００６１】
このように係止突起２３を係止突部１５の係止面１７と係合可能に配置させることにより、電線７に引張力が加わったときに、係止突起２３が係止面１７と当接し、端子収容室３からの端子９の抜け止めを行うことができる。
【００６２】
このような係止突起２３は、接続部１３の対向壁２１を係止突部１５側に向けて打ち出して設けられているので、係止面１７において、係止突部１５の電線７の引出方向の肉厚が厚い部分に係止突起２３を係合可能に配置することができる。
【００６３】
このため、電線７に引張力が加わったときに、係止突起２３を、係止面１７において、係止突部１５の肉厚が増大、すなわち係止突部１５の強度が高い部分に当接させることができ、電線７の引っ張りによる端子９の剪断力に対する耐力を高めることができる。
【００６４】
加えて、係止突部１５の係止面１７は、係止突部１５の基部側が電線７の引出方向に傾斜されているので、係止突起２３が係止面１７に当接したときに、係止ランス１１を接続部１３の内部側に向けて撓ませる方向に力を付与する。
【００６５】
このため、係止突起２３を、電線７に引張力が加わったときに、係止面１７において、係止突部１５の肉厚が増大した部分に安定して当接することができる。
【００６６】
壁面凹部２５は、接続部１３の対向壁２１において、係止突部１５の突出方向の先端と傾斜面１９側に位置する部分の幅方向の中央部を、接続部１３の内側に向けて打ち出すことによって設けられている。
【００６７】
この壁面凹部２５は、端子９が端子収容室３の正規位置に配置された状態で、係止突部１５の突出方向の先端側が収容される。
【００６８】
このように壁面凹部２５に係止突部１５を収容することにより、係止突起２３を、係止面１７において、係止突部１５の肉厚が増大された部分に係合可能に配置させることができる。
【００６９】
このような壁面凹部２５は、接続部１３の対向壁２１を接続部１３の内側に向けて打ち出すことによって設けられているので、接続部１３を構成する対向壁２１や両側壁に大きな開口を形成することなく、係止突部１５を収容することができる。
【００７０】
このため、箱状の接続部１３には、大きな開口が形成されていないので、各壁部の剛性が保持され、接続部１３の剛性を保持することができると共に、接続部１３内への異物の混入を防止することができる。
【００７１】
加えて、壁面凹部２５の底壁は、対向壁２１を打ち出すことによって設けられているので、対向壁２１において、係止突起２３側の面を除く、電線接続部４１側の面と接続部１３の両側壁側のそれぞれの面との３面が対向壁２１と連結されている。
【００７２】
このため、接続部１３に壁面凹部２５を設けることによって、壁面凹部２５が設けられた部分の剛性が低下することがなく、接続部１３の剛性を保持することができる。
【００７３】
このような壁面凹部２５の打ち出された電線接続部４１側の端部には、支点部３１が設けられている。
【００７４】
支点部３１は、壁面凹部２５を設ける際に、対向壁２１を接続部１３の内部側に向けて打ち出したときの接続部１３の内部側に向けて突出する壁面凹部２５の電線接続部４１側の端部となっている。
【００７５】
この支点部３１は、弾性片２９の接点部２７が設けられた自由端側と、接続部１３の一方の側壁と連結された基端側との間に当接し、接点部２７が相手端子のタブ状の接続部に接触するときの弾性片２９の支点となる。
【００７６】
このように支点部３１を設けることにより、接点部２７と支点部３１との距離を短くすることができ、弾性片２９による接点部２７の接触圧力を高め、相手端子と端子９との接続信頼性を向上することができる。
【００７７】
加えて、対向壁２１を打ち出すことによって設けられた壁面凹部２５の端部を支点部３１とすることにより、部品点数の増加や構造の複雑化を伴うことなく、弾性片２９による接点部２７の接触圧力を高めることができる。
【００７８】
このように構成されたコネクタ１は、端子９がハウジング５の端子収容室３の挿入開口３７から端子収容室３内に収容され、接続部１３の先端側が係止ランス１１と摺動しながら挿入されることにより、係止ランス１１を撓ませる。
【００７９】
そして、端子９が端子収容室３内の正規位置に配置されると、係止ランス１１が復元し、係止突部１５が接続部１３の壁面凹部２５に収容され、係止突部１５の係止面１７が係止突起２３と係合可能に配置され、端子９の端子収容室３からの抜け止めがなされる。
【００８０】
この端子９が端子収容室３に収容された状態で、電線７に引張力が加わると、係止突起２３が係止突部１５の係止面１７と当接し、端子９が端子収容室３から抜け出ることがない。
【００８１】
このとき、係止突起２３は、係止突部１５の係止面１７において、係止突部１５の電線７の引出方向の肉厚が厚い部分に当接されているので、係止突部１５に変形などが生じることがなく、端子９を端子収容室３に安定して保持することができる。
【００８２】
このようなコネクタ１では、係止突部１５の係止ランス１１の基端側の面に、係止突部１５の先端から係止ランス１１の基端側に向けて係止面１７の範囲内で係止突部１５の肉厚を増大させるように傾斜された傾斜面１９が設けられているので、電線７の引出方向の係止突部１５の肉厚が係止面１７の範囲内で先端から基部側に向けて増大されている。
【００８３】
この係止突部１５に対して、接続部１３の係止突部１５と対向する対向壁２１には、対向壁２１を係止突部１５側に向けて打ち出して係止面１７に係合可能に係止突起２３が設けられているので、電線７に引張力が加わったときに、係止突起２３が、係止面１７において、係止突部１５の肉厚が増大した部分に当接される。
【００８４】
このため、電線７の引っ張りによる端子９の剪断力に対する耐力を高めることができ、係止突部１５の変形などを防止して、端子９の保持を安定化することができる。
【００８５】
また、接続部１３の対向壁２１には、対向壁２１を接続部１３の内部側に向けて打ち出して係止突部１５を収容可能に壁面凹部２５が設けられているので、壁面凹部２５に係止突部１５を収容することで、係止突起２３を、係止面１７において、より係止突部１５の肉厚が増大した部分に当接させることができ、端子９の保持をさらに安定化することができる。
【００８６】
さらに、壁面凹部２５は、対向壁２１を接続部１３の内部側に向けて打ち出して設けられているので、接続部１３の対向壁２１や両側壁とが開口することがなく、接続部１３の剛性を保持することができる。
【００８７】
加えて、壁面凹部２５は、対向壁２１を接続部１３の内部側に向けて打ち出して設けられているので、係止突起２３側の面を除く、壁面凹部２５の底壁の３面が対向壁２１に連結されており、さらに接続部１３の剛性を保持することができる。
【００８８】
従って、このようなコネクタ１では、端子９の保持を安定化することができ、接続部１３の剛性を保持することができる。
【００８９】
また、壁面凹部２５の打ち出された端部には、弾性片２９の自由端側と基端側との間に当接する支点部３１が設けられているので、接点部２７と支点部３１との距離を短くすることができ、弾性片２９による接点部２７の接触圧力を高めることができる。
【００９０】
なお、本発明の実施の形態に係るコネクタでは、壁面凹部の底壁の板厚が接続部を構成する壁部の板厚と同等に設定されているが、これに限らず、壁面凹部の底壁の板厚を接続部を構成する壁部の板厚より薄く設定してもよい。
【００９１】
この場合には、係止突部を収容する壁面凹部がより深く形成されることになり、係止突部が壁面凹部により深く収容され、係止突起を、係止面において、さらに係止突部の肉厚が厚い部分に当接させることができる。
【符号の説明】
【００９２】
１…コネクタ
３…端子収容室
５…ハウジング
７…電線
９…端子
１１…係止ランス
１３…接続部
１５…係止突部
１７…係止面
１９…傾斜面
２１…対向壁
２３…係止突起
２５…壁面凹部
２７…接点部
２９…弾性片
３１…支点部
【図１】
2018185888.tif 000003
【図２】
2018185888.tif 000004
【図３】
2018185888.tif 000005
【図４】
2018185888.tif 000006
【図５】
2018185888.tif 000007
【図６】
2018185888.tif 000008